(57)【要約】【課題】特にＤＴＭ構造のディスク媒体を有するディスクドライブにおいて、データ記録時におけるヘッド位置決め精度を向上させることができるディスクドライブを提供することにある。【解決手段】ＤＴＭ構造のディスク媒体を有するディスクドライブにおいて、データ記録時に、ライトヘッドをディスク媒体上の指定されたデータトラックにオントラックさせるための位置制御を行なうときに、スキュ角に依存する第１のオフセット量と、サーボセクタ毎に設定された第２のオフセット量とを加算して算出される記録用目標オフセット量に従って前記位置制御を実行する制御処理部３０を備えた構成。【選択図】      図３
2008016065.tif 000002
【特許請求の範囲】
【請求項１】
サーボ情報が記録されたサーボセクタ及びデータトラックが、ディスク面上に構成されたディスク媒体と、
前記ディスク媒体上にデータを記録するライトヘッド、及び前記ディスク媒体上からデータを再生するためのリードヘッドを有するヘッドと、
前記ヘッドを搭載し、前記ディスク媒体上の指定位置に位置決めするためのアクチュエータと、
データ記録時に、前記リードヘッドにより読出されるサーボ情報を使用して、前記ライトヘッドを前記ディスク媒体上の指定されたデータトラックに位置決め制御する制御手段であって、前記ライトヘッドを前記データトラックにオントラックさせるための位置制御を行なうときに、前記ヘッドのスキュ角に依存する第１のオフセット量と、前記サーボセクタ毎にオフセット補正量として設定された第２のオフセット量とを加算して算出される記録用目標オフセット量に従って前記位置制御を実行する制御手段と
を具備したことを特徴とするディスク記憶装置。
【請求項２】
前記制御手段は、
データ再生時に、前記リードヘッドを前記データトラックにオントラックさせるための位置制御を行なうときに、前記ヘッドのスキュ角に依存する一定値である再生用目標オフセット量に従って前記位置制御を実行することを特徴とする請求項１に記載のディスク記憶装置。
【請求項３】
前記第２のオフセット量は、
前記ディスク媒体の回転同期成分を抑圧するための同期抑圧補正量の１次成分を、前記ディスク媒体の回転中心と前記アクチュエータに搭載された前記ヘッドの位置関係に基づいて算出される位相角分だけシフトさせたオフセット補正量に、前記ヘッドが位置決めされた前記ディスク媒体上の半径位置に応じた逆数ゲインを乗じて算出されることを特徴とする請求項１に記載のディスク記憶装置。
【請求項４】
前記制御手段は、
データ記録時に、前記ヘッドの目標データトラックに対するオフセット量を検出する検出手段と、
前記オフセット量と前記記録用目標オフセット量との偏差を算出する手段と、
前記偏差を解消して、前記ヘッドを目標データトラックにオントラックさせるように前記アクチュエータを駆動制御する手段と
を有することを特徴とする請求項１に記載のディスク記憶装置。
【請求項５】
前記制御手段は、データ記録時に、前記記録用目標オフセット量を算出する目標値生成手段を有し、
前記目標値生成手段は、
予め測定された最適オフセット量に基づいて、前記ヘッドの目標位置情報から推定補間した前記第１のオフセット量を算出する手段と、
前記サーボセクタに対応する前記ヘッドのスキュ角変動を推定した推定結果に基づいて、前記ヘッドの目標位置情報から前記第２のオフセット量を算出する手段と
を含むことを特徴とする請求項１に記載のディスク記憶装置。
【請求項６】
前記制御手段は、
データ再生時に、前記リードヘッドを前記データトラックにオントラックさせるための位置制御を行なうための再生用目標オフセット量を生成する手段と、
前記ヘッドの目標データトラックに対するオフセット量を検出する検出手段と、
前記オフセット量と目標オフセット量との偏差を算出する手段と、
前記偏差を解消して、前記ヘッドを目標データトラックにオントラックさせるように前記アクチュエータを駆動制御する手段と、
データ再生時には前記目標オフセット量として前記再生用目標オフセット量を選択し、データ記録時には前記目標オフセット量として前記記録用目標オフセット量を選択する選択手段と
を有することを特徴とする請求項１に記載のディスク記憶装置。
【請求項７】
サーボ情報が記録されたサーボセクタ及びデータトラックが、ディスク面上に構成されたディスク媒体と、前記ディスク媒体上にデータを記録するライトヘッド、及び前記ディスク媒体上からデータを再生するためのリードヘッドを有するヘッドと、前記ヘッドを搭載し、前記ディスク媒体上の指定位置に位置決めするためのアクチュエータとを有するディスク記憶に適用するヘッド位置決め制御方法であって、
データ記録時に、前記リードヘッドにより読出されるサーボ情報を使用して、前記ライトヘッドを前記ディスク媒体上の指定されたデータトラックにオントラックさせるための位置制御を実行するときに、
前記ヘッドのスキュ角に依存する第１のオフセット量を算出するプロセスと、
前記サーボセクタ毎にオフセット補正量として設定された第２のオフセット量を算出するプロセスと、
前記第１のオフセット量と前記第２のオフセット量とを加算して記録用目標オフセット量を算出するプロセスと、
前記記録用目標オフセット量に従って、前記位置制御を実行することを特徴とするヘッド位置決め制御方法。
【請求項８】
データ再生時に、前記リードヘッドを前記データトラックにオントラックさせるための位置制御を実行するときに、
前記ヘッドのスキュ角に依存する一定値である再生用目標オフセット量に従って前記位置制御を実行することを特徴とする請求項７に記載のヘッド位置決め制御方法。
【請求項９】
データ記録時に、前記ヘッドの目標データトラックに対するオフセット量を検出するプロセスと、
前記オフセット量と前記記録用目標オフセット量との偏差を算出するプロセス、
前記偏差を解消して、前記ヘッドを目標データトラックにオントラックさせるように前記アクチュエータを駆動制御するプロセスと
を有することを特徴とする請求項７に記載のヘッド位置決め制御方法。
【請求項１０】
データ再生時に、前記リードヘッドを前記データトラックにオントラックさせるための位置制御を行なうための再生用目標オフセット量を生成するプロセスと、
前記ヘッドの目標データトラックに対するオフセット量を検出するプロセスと、
前記オフセット量と目標オフセット量との偏差を算出するプロセスと、
前記偏差を解消して、前記ヘッドを目標データトラックにオントラックさせるように前記アクチュエータを駆動制御するプロセスと、
データ再生時には前記目標オフセット量として前記再生用目標オフセット量を選択し、データ記録時には前記目標オフセット量として前記記録用目標オフセット量を選択するプロセスと
を有することを特徴とする請求項７に記載のヘッド位置決め制御方法。
【発明の詳細な説明】
【技術分野】
【０００１】
本発明は、一般的には、ディスク記憶装置に関し、例えばＤＴＲ構造のディスク媒体を有するディスク記憶装置に関する。
【背景技術】
【０００２】
一般的に、ハードディスクドライブを代表とするディスク記憶装置（以下、ディスクドライブと呼ぶ）では、ディスク媒体上にヘッドを位置決めするためのヘッド位置決め制御に使用されるサーボ情報が記録される。このサーボ情報は、ディスクドライブの製造工程に含まれるサーボ書込み工程で、専用装置であるサーボトラックライタにより記録される。
【０００３】
ところで、近年、ディスクリート・トラック・メディア（ＤＴＭ：discrete track medium）と称する構造（以下ＤＴＭ構造）のディスク媒体が注目されている。ＤＴＭ構造のディスク媒体は、表面上が磁気記録部として有効な領域と非有効な領域とが形成されている。有効な領域とは、磁性膜が設けられた凸部の磁性領域である。一方、非有効な領域とは、非磁性領域、または凹部で磁気記録ができない領域である。即ち、非有効な領域は、磁性膜が形成されている場合でも、凹部により実質的に非磁性領域として構成された部分である。
【０００４】
このようなＤＴＭ構造のディスク媒体であれば、パターン転写工程を含むスタンパ製造方法により、通常のサーボトラックライタを使用することなく、サーボ情報を高い効率で記録することができる。このような記録方式を、ディスクリート・トラック記録（ＤＴＲ：discrete track recording）と呼ぶことがある。即ち、ＤＴＲ方式により、ディスク媒体上には、パターン転写工程により、位相差サーボバーストパターンを含むサーボ情報を高精度に埋め込み記録することが可能となる。
【０００５】
ディスクドライブでは、ＤＴＭ構造のディスク媒体または従来構造のディスク媒体（ベタ膜メディアとも呼ばれる）には、スピンドルモータ（ＳＰＭ）に対する取付け誤差などによるディスク偏心が発生する。また、ディスクドライブでは、ヘッドはロータリ型アクチュエータに搭載されて、ディスク媒体上の指定位置まで移動制御される。このため、ディスク媒体上の指定位置に対して、ヘッドにはスキュ角が発生する。
【０００６】
ディスクドライブでは、ヘッド位置決め制御時に、ヘッドをオントラック（目標トラックの中心への位置決め）させるときに、スキュ角やディスク偏心によるヘッドの位置ずれ（オフセット位置）を補正するためのオフセット位置調整が必要である。オフセット位置調整とは、ヘッドの位置ずれを補正するための補正量（オフセット量）を算出し、当該オフセット量だけヘッドの位置ずれを調整する動作である。
【０００７】
ヘッド位置決め制御時に、スキュ角に依存する第１のオフセット量（ＤＣオフセット量）と、ディスク偏心（偏芯と表記する場合がある）に依存する第２のオフセット量（ＤＯＣオフセット量）を算出してオフセット位置調整を行う位置決め制御方法が提案されている（例えば、特許文献１を参照）。この提案は、特に、データ再生時に、ＤＯＣ（ダイナミック・オフセット・コントロール）による補正（オフセット位置調整）を行なうリードＤＯＣに関する。
【特許文献１】特開２００５−２１６３７８号公報
【発明の開示】
【発明が解決しようとする課題】
【０００８】
ＤＴＭ構造のディスク媒体は、事前にデータトラックが形成されているため、任意位置に信号を記録する事はできない。従って、ヘッド位置決め制御では、ヘッドを、既に形成されたデータトラック（ディスクリート・トラック）の中心に、正確に位置決めする必要がある。
【０００９】
ＤＴＭ構造のディスク媒体を有するディスクドライブは、サーボセクタのトラック中心（サーボトラックの中心）が、データトラックの中心と一致するように設計・製造されている。しかし実際には、サーボトラックの中心にリードヘッドを位置決めして、データトラックから記録データを再生しても最適とはならない。内外周位置に依存して、僅かにリードヘッドのオフセット位置を調整して再生した方が、ビットエラーレート（ＢＥＲ）をより改善できる。この理由は、リード／ライトヘッド間のギャップ分散や横ずれ、サーボ情報に含まれるサーボバースト位置の検出特性等により発生するものと推定される。このため、データ再生時の最適オフセット量は、ディスクドライブ毎に較正する必要がある。
【００１０】
一方、データ記録時において、ヘッドのスキュ角変化や、リード／ライトヘッド間のギャップがあるため、半径位置依存で、記録時のオフセット量が理論的にも変化する。このため、データ記録時にも、最適オフセット量をディスクドライブ毎に較正する必要がある。
【００１１】
特に、ＤＴＲにおいては、ディスク媒体の内周側において、リードヘッドによるサーボ情報の再生時のＢＥＲ低下がサーボセクタ位置に依存している。このため、ライトヘッドは、１周の平均記録位置としては、ＤＴＭ構造のデータトラック上にオントラックしているものの、部分的にはオントラックから外れた状態が発生している。これは、ディスク偏心により１周内でのスキュ角変動が起り、これによりライトヘッドが部分的に若干のオフセットを起すためと推定される。
【００１２】
そこで、本発明の目的は、特にＤＴＭ構造のディスク媒体を有するディスクドライブにおいて、データ記録時におけるヘッド位置決め精度を向上させることができるディスクドライブを提供することにある。
【課題を解決するための手段】
【００１３】
本発明の観点に従ったディスク記憶装置は、サーボ情報が記録されたサーボセクタ及びデータトラックが、ディスク面上に構成されたディスク媒体と、前記ディスク媒体上にデータを記録するライトヘッド、及び前記ディスク媒体上からデータを再生するためのリードヘッドを有するヘッドと、前記ヘッドを搭載し、前記ディスク媒体上の指定位置に位置決めするためのアクチュエータと、データ記録時に、前記リードヘッドにより読出されるサーボ情報を使用して、前記ライトヘッドを前記ディスク媒体上の指定されたデータトラックに位置決め制御する制御手段であって、前記ライトヘッドを前記データトラックにオントラックさせるための位置制御を行なうときに、前記ヘッドのスキュ角に依存する第１のオフセット量と、前記サーボセクタ毎にオフセット補正量として設定された第２のオフセット量とを加算して算出される記録用目標オフセット量に従って前記位置制御を実行する制御手段とを備えた構成である。
【発明の効果】
【００１４】
本発明によれば、特にＤＴＭ構造のディスク媒体を有するディスクドライブにおいて、データ記録時におけるヘッド位置決め精度を向上させることができる。従って、データ記録再生性能の向上を図ることができる。
【発明を実施するための最良の形態】
【００１５】
以下図面を参照して、本発明の実施形態を説明する。
【００１６】
（ディスクドライブの構成）
図１は、本実施形態に関するディスクドライブの構成を示すブロック図である。
【００１７】
本実施形態のディスクドライブ１０は、ディスクリート・トラック・メディア（ＤＴＭ：discrete track medium）構造（ＤＴＭ構造）のディスク媒体１１と、ヘッド１２と、スピンドルモータ（ＳＰＭ）１３と、アクチュエータ１４とを有する。
【００１８】
ディスク媒体１１は、サーボ情報が記録されたサーボセクタ及びデータトラックが、ディスク面上に形成されている磁気記録媒体である。スピンドルモータ（ＳＰＭ）１３は、ディスク媒体１１を保持して高速回転させる。
【００１９】
ヘッド１２は、ディスク媒体１１からデータ（サーボ情報とユーザデータ）を読出すリードヘッド１２Ｒと、ディスク媒体１１にデータを書き込むためのライトヘッド１２Ｗを含む。ヘッド１２は、ボイスコイルモータ（ＶＣＭ）１５により駆動されるアクチュエータ１４に搭載されている。ＶＣＭ１５は、ＶＣＭドライバ２１により駆動電流が供給されて、駆動制御される。アクチュエータ１４は、後述するマイクロプロセッサ（ＣＰＵ）１９により駆動制御されて、ヘッド１２をディスク媒体１１上の目標位置（目標トラック）に位置決めするためのキャリッジ機構である。
【００２０】
このようなヘッド・ディスクアセンブリ以外に、ディスクドライブ１０は、プリアンプ回路１６と、信号処理回路１７と、ディスクコントローラ（ＨＤＣ）１８と、ＣＰＵ１９と、メモリ２０とを有する。
【００２１】
プリアンプ回路１６は、ヘッド１２のリードヘッド１２Ｒから出力されるリードデータ信号を増幅するリードアンプ、及びライトデータ信号をライトヘッドに供給するためのライトアンプを有する。即ち、ライトアンプは、信号処理回路１７から出力されるライトデータ信号をライト電流信号に変換して、ライトヘッドに送出する。信号処理回路１７は、リード／ライトデータ信号（サーボ情報に対応するサーボ信号を含む）を処理する信号処理回路であり、リード／ライトチャネルとも呼ばれている。信号処理回路１７は、サーボ信号からサーボ情報を再生するためのサーボデコーダを含む。
【００２２】
ＨＤＣ１８は、ドライブ１０とホストシステム２２（例えばパーソナルコンピュータや各種のディジタル機器）とのインターフェース機能を有する。ＨＤＣ１８は、ディスク１１とホストシステム２２間のリード／ライトデータの転送制御を実行する。
【００２３】
ＣＰＵ１９は、ドライブ１０のメインコントローラであり、本実施形態に関するヘッド位置決め制御を実行する。即ち、ＣＰＵ１９は、ＶＣＭドライバ２１を介してアクチュエータ１４を制御し、ヘッド１２の位置決め制御を実行する。メモリ２０は、不揮発性メモリであるフラッシュメモリ（ＥＥＰＲＯＭ）以外に、ＲＡＭ及びＲＯＭなどを含み、ＣＰＵ１９の制御に必要な各種データ及びプログラムを保存する。
【００２４】
（ヘッド位置決め制御システム）
次に、図２から図４を参照して、本実施形態に関するヘッド位置決め制御システムの構成を説明する。本システムの主構成要素である制御処理部３０は、ＣＰＵ１９及びプログラムからなり、以下のような機能を有する。
【００２５】
システムは大別して、制御処理部３０と、ヘッド駆動系４０と、位置検出系４１とからなる。ヘッド駆動系４０は、ヘッド１２を搭載して駆動するアクチュエータ機構であり、狭義にはＶＣＭ１５を意味する。位置検出系４１は、ディスク媒体１１とヘッド１２の相対位置（ヘッド位置）ＰＨを検出する要素であり、具体的には信号処理回路１７に含まれるリードチヤネルである。
【００２６】
制御処理部３０は、目標位置生成部３１と、フィードバック制御部３２と、フィードフォワード制御部３３と、オフトラック検出部３４と、駆動指令生成部３５と、目標位置偏差検出部３６とを含む。
【００２７】
オフトラック検出部３４は、位置検出系４１からの位置情報（リードヘッド１２Ｒにより再生されるサーボ情報）を、目標位置（データトラックの中心）からのオフトラック量ＯＦＦＴに換算する。目標位置偏差検出部３６は、オフトラック量ＯＦＦＴと、目標位置生成部３１により生成される目標オフセット量ＴＯＦＦとの偏差（位置誤差）Ｐｅｒｒを算出する。フィードバック制御部３２は、入力される偏差Ｐｅｒｒを解消するための制御量を算出する。
【００２８】
フィードフォワード制御部３３は、ヘッド１２のディスク媒体１１上での周方向位置ＳＣＴに基づいて、ディスク媒体１１の回転に同期する揺れ（ＲＲＯ:repeatable runout）を抑圧する補償部であり、ＲＲＯ補償値（同期抑圧補正量）を出力する。駆動指令生成部３５は、フィードバック制御部３２の出力に、フィードフォワード制御３３の出力を加算して、ヘッド駆動系４０を駆動制御するための制御値を算出する。
【００２９】
目標位置生成部３１は、再生用目標オフセット量生成部（ＲＯＦＦ目標値生成部）３７と、記録用目標オフセット量生成部（ＷＯＦＦ目標値生成部）３８と、目標オフセット量切替えスイッチ（以下単にスイッチと表記する）３９とを有する。
【００３０】
ＲＯＦＦ目標値生成部３７は、データ再生時に、ヘッド１２を位置決めする目標値（トラック中心）に対する目標オフセット量ＲＯＦＦ（半径位置毎の一定値）を生成する。ＷＯＦＦ目標値生成部３８は、データ記録時に、ヘッド１２を位置決めする目標値（トラック中心）に対する目標オフセット量ＷＯＦＦを生成する。スイッチ３９は、再生又は記録に応じて、ＲＯＦＦまたはＷＯＦＦの一方を選択して、目標オフセット量ＴＯＦＦとして目標位置偏差検出部３６に出力する。
【００３１】
ＷＯＦＦ目標値生成部３８は、図３に示すように、ＤＣオフセット量生成部３８１と、スキュ角変動推定部３８２と、オフセット補正値生成部３８３と、加算部３８４とを有する。
【００３２】
ＤＣオフセット量生成部３８１は、ヘッド１２のスキュ角による半径依存のオフセット量Woff1を出力する。具体的には、ＤＣオフセット量生成部３８１は、事前に複数のトラックで計測した最適オフセット量に基づいて、目標トラック位置情報ＴＣＹＬから推定補間した目標オフセット量として目標オフセット量Woff1を生成する。
【００３３】
スキュ角変動推定部３８２は、周方向位置ＳＣＴに依存して、トラック偏心変動によるヘッド１２のスキュ角を推定する。オフセット補正値生成部３８３は、スキュ角変動推定部３８２により推定されたスキュ角の変動を考慮した目標トラック位置情報ＴＣＹＬに対する目標オフセット量Woff2を生成する。加算部３８４は、目標オフセット量Woff1と目標オフセット量Woff2とを加算した結果を、記録用目標オフセット量ＷＯＦＦとして出力する。
【００３４】
（ヘッド位置決め制御の作用効果）
まず、ディスクドライブのヘッド位置決め制御は、リードヘッド１２Ｒによりディスク媒体１１上から再生したサーボ情報を使用し、リードヘッド１２Ｒをトラックに対して位置決めするように制御処理を行なうことである。従って、目標位置生成部３１は、目標トラック中心に対して、どの程度、リードヘッド１２Ｒをオフトラック補正（オフセット位置調整）させるかを示す情報（目標オフセット量）を出力する。
【００３５】
ここで、従来構造のディスク媒体を有するディスクドライブでは、製品出荷時には、ディスク媒体上には物理的なデータトラックは存在しない。ディスク媒体上には、サーボ情報が記録されたサーボセクタを基準とするサーボトラックが構成されている。従って、ディスクドライブは、データ記録時に、ディスク媒体上の目標サーボトラックに対して、リードヘッドを位置決め制御し、これに伴って位置決めされるライトヘッドにより任意の箇所にデータトラックを形成することになる。
【００３６】
即ち、データ記録時には、リードヘッドが目標サーボトラックの中心にオントラックされるように制御されるため、ＷＯＦＦ目標値生成部３８から出力される目標オフセット量ＷＯＦＦは、常に零に設定されている。データ記録時には、スイッチ３９は、目標オフセット量ＷＯＦＦを目標オフセット量ＴＯＦＦとして出力する。
【００３７】
ここで、ディスクドライブ１０では、ヘッド１２は、リードヘッド１２Ｒとライトヘッド１２Ｗとが分離した構造である。従って、リードヘッド１２Ｒとライトヘッド１２Ｗの各ヘッド素子間には、例えば２〜６μｍ程度のギャップが存在する。また、ヘッド駆動系４０は、回転駆動方式のアクチュエータを有するため、位置決めする半径位置により、駆動系のアクセス角が異なる。このため、スキュ（skew）角と呼ばれるトラック走行方向とヘッド中心線とをなす角度が発生する。
【００３８】
このようなリード／ライトヘッド間ギャップとスキュ角とにより、データトラックは、その中心がサーボトラック中心とは重ならず、外周では外側へ、内周では内側に形成されることになる。このため、データ再生時には、リードヘッドがデータトラックの中心となる様に、データ記録時に発生するデータトラックとサーボトラックとのトラックずれ分を補正する様に目標オフセット量ＴＯＦＦを与える事になる。
【００３９】
図２を参照すると、データ再生時には、ＲＯＦＦ目標値生成部３７は、このトラックずれ分を補正する様に、目標オフセット量ＲＯＦＦを生成する。データ再生時には、スイッチ３９は、目標オフセット量ＲＯＦＦを目標オフセット量ＴＯＦＦとして出力する。
【００４０】
ところで、データ再生時での目標オフセット量ＲＯＦＦは、理想的には、トラック位置ＣＹＬで決まる半径位置や、アクチュエータの回転中心（ピボット）の位置、ピボットとヘッド間の距離等から物理的に一意に決定される。しかし、実際には、ヘッド取り付け公差による角度ずれや、リード／ライトヘッド素子間ギャップの分散、当該素子間の横ずれ発生等があり、理想理論値を目標オフセット量ＴＯＦＦとしても、リードヘッドを必ずしもデータトラックの中心に位置決めすることはできない。
【００４１】
実際には、事前にディスクドライブ毎に、複数トラックでの最適オフセット量を測定し、これを、位置決めトラック情報ＣＹＬに基づいて推定補間して、目標オフセット量ＲＯＦＦを出力することになる。また、最適オフセット量は、複数のある較正トラック位置にて、理想理論値のオフセット量近傍で目標オフセット量ＴＯＦＦを可変させ、オフセット位置による再生信号のビットエラーレート（ＢＥＲ）の変化をモニタして、ＢＥＲが最小となるオフセット量として計測される。
【００４２】
一方、本実施形態のディスクドライブ１０では、前述したように、ＤＴＭ構造のディスク媒体１１が使用される。従って、製品出荷時には、ディスク媒体１１には、データトラックが事前に形成されている。データトラックは、ディスク媒体の半径位置に関わらず、サーボトラックとほぼ一定のオフセット（通常は０）を持つ位置に配置される。
【００４３】
このため、データ記録時には、リードヘッド１２Ｒをオフセットさせた状態で、ライトヘッド１２Ｗを事前形成したデータトラック上にオントラックさせる必要がある。具体的には、前述したように、ＤＣオフセット量生成部３８１は、目標トラック位置情報ＴＣＹＬから推定補間した目標オフセット量としてオフセット量Woff1を生成する。この処理は、データ再生時での目標オフセット量生成部３７の処理とほぼ同じである。
【００４４】
一方、ＷＯＦＦ目標値生成部３８は、前述したように、周方向位置ＳＣＴに依存し、スキュ角の変動を考慮した目標トラック位置情報ＴＣＹＬに対する記録時オフセット量Woff2を生成する。そして、加算部３８４が、オフセット量Woff1と記録時オフセット量Woff2とを加算した結果を、データ記録時の目標オフセット量ＷＯＦＦとして出力する。
【００４５】
以下、ＷＯＦＦ目標値生成部３８の原理について、図６及び図７を参照して説明する。
【００４６】
図６は、ディスク媒体１１上には、ＤＴＭ構造のデータトラック６０がほぼ完全に同心円状に形成されて、ディスク媒体１１の回転中心がデータトラック６０の中心と完全に一致した理想状態を表した図である。この場合、データ記録時の目標オフセット量ＷＯＦＦは、前述したように、ＤＣオフセット生成部３８１の出力Woff1そのもので良い。
【００４７】
しかし、実際には、ディスク媒体１１の取り付け時の偏心や、ＤＴＭ形成時の中心位置決め誤差等があるため、図７に示すように、ＤＴＭ構造のデータトラック６０は、周方向位置で半径方向に変化する。但し、サーボトラック（中心線６１のトラック）そのものも、データトラック６０と同型で歪む。このため、サーボ位置に対する目標オフセット量は、先のＤＣオフセットWoff1そのもので良い様に思えるが、実際には、記録時の目標オフセット量ＴＯＦＦをWoff1とすると、データが正確に記録されないデータセクタが部分的に発生する問題がおこる。この理由は、トラックの半径方向変動と、トラック走行方向線が変動する事とによるスキュ角変化のためであると推定される。スキュ角が周方向位置により変化するため、リード／ライトヘッド素子間ギャップだけ離れたリードヘッド１２Ｒ素子位置での最適オフセット量も、これに応じて変化する事が原因である。
【００４８】
図７には、半径の異なる位置の２箇所にて、そのスキュ角と、最適オフセット量ＷＯＦＦとを示している。１点鎖線６３がトラック走行方向接線で、細線６４がヘッドアクセス角を表し、この成す角がスキュ角となる。また、最適オフセット量は、素子間ギャップだけ離れた位置のトラック走行方向接線（サーボトラック）までの距離なので、最適記録時オフセットは記録セクタ位置に依存して、変化させる必要があることが分る。
【００４９】
但し、図７では、データ記録時の目標オフセット量ＷＯＦＦは、適切に描画されていない。即ち、目標オフセット量ＷＯＦＦは、ライトヘッド１２Ｗがオントラックする際のリードヘッド１２Ｒのオントラックからのオフセット量に相当するが、ここではオントラックからの距離には見えない描画となっている。これは、描画スケール上の矛盾による。トラック1周分を、周方向を横軸に示しているが、リード／ライトヘッド素子間ギャップが数μｍなのに対し、周方向はその１万倍程度の距離となるための描画上の矛盾から、先の不適切な描画となってしまう。
【００５０】
また、図７では、リードヘッド１２Ｒの位置を省略しているが、リード／ライトヘッド素子間のギャップ量が巨大に描画されているため、目標オフセット量ＷＯＦＦがリードヘッド１２Ｒからサーボトラックまでの距離には見えない。なお、実際のスケールで描画すれば、目標オフセット量ＷＯＦＦが、リードヘッド１２Ｒからサーボトラックまでの距離になる。尚、このサーボセクタ依存の目標オフセット補正量Woff２の振幅は、トラック変化量または記録半径位置にほぼ比例する関係がある。このため、ディスク媒体１１の取り付け偏心が変わらないとすれば、半径が小さくなる程、その影響は大きくなる。特に、小型のディスクドライブ１０では、内周側において、トラックピッチの±２０％強もの変動量となり、この補正は不可欠である。
【００５１】
以上要するに、サーボセクタ毎に、サーボセクタ依存の目標オフセット補正量Woff2を変化させないと、ディスク媒体１１の内周側では、ＤＴＭ構造のデータトラックに対しては、正確なデータ記録が困難であり、結果としてデータ再生時の部分的なＢＥＲの低下を招く要因となる。
【００５２】
（オフセット補正量Woff2の決定方法）
以下、図８から図１３を参照して、データ記録時でのオフセット補正量として、サーボセクタに依存するオフセット補正量Woff2の決定方法を説明する。
【００５３】
データ記録時のオフセット量は、理想スキュ角をθとし、スキュ角変動量をΔθとし、リード／ライトヘッド素子間ギャップをＬgとすると、下記式（１）に示すような近似関係が得られる。
【００５４】
【数１】
2008016065.tif 000003
【００５５】
この式（１）から、スキュ角変動を推定できると、その比例倍の補正で、オフセット補正量Woff2を算出できる。ここで、同期抑圧の目的等から、トラック半径方向変化量ΔRを求める処理は公知であるが、スキュ角変動量Δθは１次偏心量とは必ずしも比例関係にない。以下、図１０及び図１１を参照して、この関係を説明する。
【００５６】
図１０は、ディスクドライブ１０内でのＳＰＭ１３の回転中心Ｏと、ヘッド駆動系のアクチュエータ１４のアーム回転Ｐ(Pivot)と、ヘッド位置Ｈとの関係を表したものである。実際には、トラック中心Ｃが、ＳＰＭ１３の回転中心Ｏからトラック偏心分だけずれた位置になるが、このスケールではほとんど重なり、Ｃ＝Ｏに見える。今、トラックの半径Ｒ（CH=R）を決めれば、三角形ＣＰＨの形状は一意的に決まる。尚、図１０では、簡単化のため、アクセス系がドックレッグ形状の場合に発生するインライン角等を無視して説明する。この場合、ＣＨの法線方向とＰＨの成す角がスキュ角θとなる。即ち、スキュ角θは下記式（２）により算出できる。
【００５７】
【数２】
2008016065.tif 000004
【００５８】
図１１は、図１０ではΔRやΔθが見えないので、あえて大げさに偏心を取った図である。図１１のＣがトラック中心で、ＳＰＭ１３の回転中心Ｏの周りを周回し、三角形ＣＰＨが微妙に変化する。トラック半径方向変化量ΔRは、角ＯＰＨの変化量Δψに、アクチュエータ１４のアーム長ＰＨを乗じた値として検出される。検出偏心のピークは、ＯＨが最大となる位相角の時に現れる。
【００５９】
一方、スキュ角変動量Δθは、前記式（２）により、角ＨＣＰφ＋角ＯＰＨψの変化量と等価となるが、Rが小さくなる程、角ＨＣＰφの変化が支配的となり、その最大はＯＰ上にＣが位置する時になる。ここで、図１１は極端に表記しているので分かり難いが、実際の形状は図１０のような関係なので、角ＨＯＰだけ、偏心のピークよりも早く、スキュ角の変化が現れることを意味する。
【００６０】
図８及び図９は、サーボセクタら依存するオフセット補正量Woff2と、１次ＲＲＯ偏心であるトラック変位との関係を示す図である。
【００６１】
図８は、同期抑圧のＲＲＯ補正量（８１）と、最適なオフセット補正量Woff2（８０）との関係を示す図である。点線８２は、トラック変位の１次成分、即ちトラック偏心に相当する。
【００６２】
図９は、正弦波振幅を１に正規化し、トラック変位（ＲＲＯ補正量）の１次成分８３を、角ＨＯＰにあたる66.7234deg進めたものを破線にて表記したものである。即ち、破線８３は、幾何学位相分進めたＲＲＯ補正量）の１次成分である。
【００６３】
同期抑圧の補正量の一次偏心分を、ドライブ１０のメカ配置から決まる角ＨＯＰ相当進める事で、スキュ角変動の推定が可能と分かる。破線の推定値８３と、実線８０のオフセット補正量Woff2は、必ずしも一致していない。これは、トラック変位が１次以外の成分、即ち２次以上のＲＲＯ歪み影響で、最適なオフセット補正量Woff2が正弦波から歪むためである。本実施形態では、スキュ角変動の簡易推定のため、１次成分に基づく推定処理をしているが、当然２次や３次も考慮して補正をかける様にしても良い。なお、角ＨＯＰは、厳密には、内周から外周のアクセストラック位置により、変化する角度であるが、その変化は小さいので、同期抑圧の補正量の一次偏芯分を、一定角度を進めるだけで十分な推定ができる。
【００６４】
次に、補正すべきオフセット補正量Woff2の振幅は、前記式（２）の変化量であり、角ＨＣＰφ＋角ＯＰＨψの変化量となるので、解析は複雑になる。しかし、近似的に、角ＨＣＰの変化と見なす事ができ、Ｃの偏心変化が一定とすれば、Ｈのアクセス半径Ｒに反比例すると見なせる。
【００６５】
即ち、アクセス対象データトラックから算出できる半径位置に応じた逆数ゲインGain(R)を、１次偏心ΔＲを前記位相角分補正した推定量に乗ずれば、下記式（３）に示すように、近似算出できることになる。
【００６６】
【数３】
2008016065.tif 000005
【００６７】
図１２及び図１３は、この式（３）による近似計算結果の妥当性を示す図である。即ち、図１２は、データ記録時で、スキュ角依存のＤＣ成分オフセット補正量Woff1の特性９０を示す。また、図１３は、サーボセクタ毎のオフセット補正量Woff2の正弦波振幅９１を示す図である。図１３において、破線９２として、偏心1次振幅に半径位置に反比例する振幅ゲインＧain(R)を乗じた簡易推定振幅を示した。即ち、半径位置に応じた逆数ゲインによる簡易算出補正量である。なお、あくまでも近似であるので、ディスク媒体１１上での内外周部で誤差が大きくなるが、比較的正しい振幅が得られる事がわかる。
【００６８】
（目標位置生成部３１の動作）
再度、図２及び図３を参照して、目標位置生成部３１の動作を説明する。
【００６９】
目標位置生成部３１は、データ記録時には、ＷＯＦＦ目標値生成部３８から出力される目標オフセット量ＷＯＦＦを目標値ＴＯＦＦとして出力する。また、データ再生時には、ＲＯＦＦ目標値生成部３７から出力される目標オフセット量ＲＯＦＦを目標値ＴＯＦＦとして出力する。
【００７０】
ＷＯＦＦ目標値生成部３８は、図３に示すように、ＤＣオフセット量生成部３８１から、目標トラック位置情報ＴＣＹＬから推定補間した半径依存のオフセット補正量Woff1を生成する。また、ＷＯＦＦ目標値生成部３８は、オフセット補正値生成部３８３から、スキュ角変動推定部３８２により推定されたスキュ角の変動を考慮した目標トラック位置情報ＴＣＹＬに対するオフセット補正量Woff2を生成する。加算部３８４は、オフセット補正量Woff1とオフセット補正量Woff2とを加算した結果を、データ記録時の目標オフセット量ＷＯＦＦとして出力する。
【００７１】
ＤＣオフセット量生成部３８１は、事前に複数トラックで較正した最適値から、線形補間して、任意の目標トラック位置情報ＴＣＹＬを推定補間して、半径依存のオフセット補正量Woff1を出力する。
【００７２】
一方、スキュ角変動推定部３８２は、理想スキュ角θからの変動量Δθを推定するものであり、前述した原理により、トラック半径方向の変化量ΔRの一次偏心成分を一定の位相角だけ進めて出力する。オフセット補正値生成部３８３は、このスキュ角の変動に半径に反比例するゲインを乗じてオフセット補正量Woff2を出力する。
【００７３】
ここで、スキュ角変動推定部３８２は、フィードフォワード制御部３３（回転同期変動抑圧補償器）で推定されている同期抑圧用の情報に基づいて、トラック半径方向の変化量ΔRを適当な位相設定量分だけ進めた信号を出力する。
【００７４】
フィードフォワード制御部３３としては、各種の方法があり、低次以外にも高次同期成分の補償動作も行なっているが、ここでは１次偏心をＤＦＴ等でＡ，Ｂの正弦・余弦係数として推定されているとして説明する。この場合、下記式（４）から、フィードフォワード制御部３３での１次偏芯分の同期成分補償量を算出できる。
【００７５】
【数４】
2008016065.tif 000006
【００７６】
ここで、Ａ，Ｂの添え字は、１次成分の推定係数を示す。Ｇは、制御出力換算の次数依存のゲイン係数である。Ｎはサーボセクタ数である。k はサーボセクタ番号で、１周で1からＮまでの値を取る。
【００７７】
オフセット補正値生成部３８３は、現在推定されているＡ１，Ｂ１を参照し、適当な位相角分進めた正弦波信号を次式（５）を使用して作成する。
【００７８】
【数５】
2008016065.tif 000007
【００７９】
ここで、Ｈは先の一定進み位相角に相当するポインタ補正値である。Ｎ＝120，進み角66.7234degであれば、Ｈは22.24となるが、正整数としてH=22を採用している。実際の位相進み処理は、Sin,Cosをテーブル参照する際に、ｋよりもＨ以前の正弦・余弦値を参照するようにする事で実現している。
【００８０】
オフセット補正値生成部３８３は、トラック半径方向の変化量ΔRに基づいて、半径依存の係数Gainを目標トラックＴＣＬＹに基づいて導出し、前記式（５）のＤＯＣ値に乗じてオフセット補正量Woff2を算出する。以上により、ＤＴＭ構造のディスク媒体１１上の全周にわたって、各データトラックに対して、ライトヘッド１２Ｒをオントラックしてデータの記録を行なうことが可能になる。
【００８１】
次に、データ再生時では、ＲＯＦＦ目標値生成部３７は、目標値ＴＯＦＦとして目標オフセット量ＲＯＦＦを出力する。前述したように、ＤＴＭ構造のディスク媒体１１では、データトラックの中心とサーボトラックの中心は、一定オフセット関係を持つ様に形成されている。このため、このオフセットを零にする仕様で形成することにより、原理的には半径に依存せずに、オフセット目標値ＲＯＦＦは零で良い。
【００８２】
但し、実際には、ディスク媒体１１の内外周位置で、目標オフセット量ＲＯＦＦは僅かに変動する。その理由は、本来意図した形成サーボトラックの中心から、見かけ上のオフセットを持って検出側がオフセット中心を検出しているためで、この見かけ上のオフセット平均変動はスキュ角との相関を持つ。
【００８３】
そこで、本実施形態では、この目標オフセット量ＲＯＦＦに関しても、事前に複数トラックで最適オフセットを推定し、これを基に目標トラックＴＣＬＹで推定補間して出力する方式を採用している。尚、その見かけ上のオフセット変化は小さいので、必須構成要件ではなく、データ再生時の目標オフセット量ＲＯＦＦを、ディスク媒体１１の内外周トラックに依らず一定値としてもかまわない。
【００８４】
（最適オフセット測定方法）
さらに、図４、図５及び図１４を参照して、本実施形態に関する最適オフセット測定方法について説明する。
【００８５】
一般に行なわれる最適オフセット測定方式は、オフセットＢＥＲ測定に基づきＢＥＲが最小となるオフセット量を求める。この場合、この最適オフセット測定が可能であるように、データが正確に記録されていることが必要である。
【００８６】
しかし、本実施形態に関するＤＴＲ（discrete track recording）、即ちＤＴＭ構造のディスク媒体上にサーボ情報を記録する記録方式では、データを正確に記録するという前提が成り立たない。データ記録時に、目標トラックから算出される理論値の目標オフセット量ＷＯＦＦで記録しても、ほとんどの場合オントラックでの記録はできず、データ再生でのＢＥＲの測定ができない。
【００８７】
そこで、本実施形態の最適オフセット測定方法により、ＤＴＲ方式に適用し、１回の信号記録から短時間で、記録時と再生時の両方の最適オフセット（オフセット位置）を測定する。以下、具体的に説明する。
【００８８】
本実施形態の最適オフセット較正手順とは、測定対象のトラックまでヘッド１２を移動させて、ライトヘッド１２ＷによりＷａｖｅ信号を記録する（ステップＳ１，Ｓ２）。当該トラックのセクタから、リードヘッド１２Ｒによりデータを再生し、ビットエラーレート（ＢＥＲ）を測定する（ステップＳ３）。このＢＥＲ測定結果に基づいて、正常にデータ記録されたセクタを判定する（ステップＳ４）。そして、正常にデータ記録されたセクタに限定した最適な目標オフセット量ＲＯＦＦを測定する（ステップＳ５）。この目標オフセット量ＲＯＦＦでのデータ再生を実行し、ＢＥＲを測定する（ステップＳ６）。この測定結果に基づいて、最適なオフセット補正量Woff1を推定する（ステップＳ７）。このような測定を、ディスク媒体１１上の全トラックについて繰り返す（ステップＳ８）。
【００８９】
このような最適オフセット較正手順において、ステップＳ２に示すＷａｖｅ記録とは、ウォブル記録と呼ばれている処理方法に相当し、位置決め目標値を、ディスク媒体１１上の内外周に振ってランダムデータを記録する処理である。但し、本実施形態でのＷａｖｅ記録方法では、記録振幅が小さく、図４に示すように、記録時の目標オフセット量ＴＯＦＦが入った状態で、Ｗａｖｅ記録が実行される。
【００９０】
図４は、最適オフセット較正でのＷａｖｅ記録を実行するときの制御処理部３０の機能を説明するための図である。
【００９１】
Ｗａｖｅ記録用のオフセット目標生成部３１０は、現在のサーボセクタＳＣＴを基に、ヘッド位置を更にオフセット変更するための目標オフセット量Ｐｒｅｆを出力する。即ち、オフセット目標生成部３１０は、サーボセクタ毎に変化する目標オフセット量Ｐｒｅｆを生成する。この目標生成部３１０は、例えばディスクドライブ１０の製造工程時でのコマンドで有効にする。
【００９２】
図１４（Ａ）は、当該Ｗａｖｅ記録による記録イメージを示す。ここでは、その記録振幅は±１トラックピッチの振幅で、直線状に一様増減する三角状の山谷パターンである。但し、Ｗａｖｅ記録目標は、三角状の山谷パターンに限らず、正弦波状のオフセット指令であっても良い。
【００９３】
制御処理部３０は、目標オフセット量Ｐｒｅｆと、前述の記録時オフセット補正量ＷＯＦＦ（ＴＯＦＦ）を加算したオフセット位置に、ヘッド１２を位置決めする。但し、記録時オフセット補正量ＷＯＦＦでは、オフセット補正量Woff2は事前較正せずに決定されるが、記録時のＤＣオフセット量であるWoff1は、この時点では決まらない。最適オフセット較正前は、システム（ＣＰＵ１９）に初期設定された理論計算値が適用される。
【００９４】
また、本実施形態のディスクドライブ１０では、安全のため、測定時のトラック（シリンダ）が位置決め目標トラックと異なると、ライトヘッド１２Ｗによるライト動作が禁止となる機能が含まれる。この場合、Ｗａｖｅ記録時には、このライト動作の禁止機能を無効にして、ライトエラーを発生することなく、ランダムデータ信号をＷａｖｅ記録する。
【００９５】
ここで、ＤＴＭ構造のディスク媒体１１では、トラックが非磁性領域で分断されているため、ライトヘッド１２Ｗが非磁性部に位置している状態では、信号の記録はできない。実際には、ライトヘッド１２Ｗの一部がデータトラックに位置している状態では、正確に再生できる程度のデータを記録することはできない。
【００９６】
図１４（Ａ）は、データトラック６０に対して、ライトヘッド１２Ｗにより記録されたデータ記録領域１４０を示す。また、ライトヘッド１２Ｗの通過軌跡１４１と、データ記録領域１４０からデータを再生するときのリードヘッド１２Ｒの通過軌跡１４２を示している。
【００９７】
データ再生時には、前述したＲＯＦＦ目標値生成部３７での最適な目標オフセット量ＲＯＦＦは未定であるため、ＤＴＭ構造のディスク媒体１１の製作時に設計されたＤＣオフセット補正量が目標値ＴＯＦＦとして出力される。このため、完全なオフセット中心から多少ずれた位置で、リードヘッド１２Ｒにより信号再生されることになる。
【００９８】
最適オフセット較正手順では、図５に示すように、リードヘッド１２Ｒによるデータ再生時に、ＢＥＲ測定（１）が実行される（ステップＳ３）。このＢＥＲ測定結果に基づいて、正常にデータ記録されたセクタを判定する（ステップＳ４）。
【００９９】
このＢＥＲ測定は、一般的なトラック全体のＢＥＲ測定ではなく、複数のデータセクタを纏めたブロック毎に、複数周の再生結果を積算してＢＥＲ測定する。図１４（Ｂ）は、そのブロック毎のＢＥＲの測定結果をイメージ表示している。ここで、ブロック１４３は、セクタＢＥＲ評価時のデータブロックを意味する。
【０１００】
図１４（Ｂ）に示すように、ＢＥＲ測定結果が再生合格基準１４４を超える合格ブロック群が、必ず１周に２箇所又は１箇所現れる。図１４（Ｂ）では、周方向計測イメージとして、ＢＥＲ測定結果の合格セクタ群として、ブロック１４３を示している。この領域１４３は、正確にデータが記録されていると判断できる周方向位置と判断できる。即ち、この箇所においては、従来の高精度な再生オフセット推定方式であるオフセットＢＥＲ測定が可能である事を示している。
【０１０１】
そこで、正常にデータ記録された合格セクタに限定したオフセットＢＥＲ測定を実行し、最適な再生オフセット量ＲＯＦＦを測定する（ステップＳ５）。本実施形態では、合格ブロック群が最も長く連続する領域のセクタから、前後数セクタを除いた範囲をＢＥＲ測定範囲として、オフセット毎のＢＥＲを測定する。なお、合格セクタ全てを使ったオフセットＢＥＲ測定を実行してもよい。また、オフセットＢＥＲ測定結果から、最適再生オフセット量を求める方法に関しては、公知の方法でよい。
【０１０２】
以上により、この較正トラックにおいて、完全にオントラック再生させることが可能となる。そこで、前述したように、再度のＢＥＲ測定（２）を実行する（ステップＳ６）。このセクタＢＥＲ測定（２）と、前記セクタＢＥＲ測定（１）との相違は、再生オフセット量ＲＯＦＦが最適値でオントラック再生されることの他に、ＢＥＲ測定ブロック数をより細かく設定して周方向の分解能を向上させている点、それに伴ない周回数を増加させている点、ＢＥＲ測定を複数回実施してセクタ毎のＢＥＲは、その平均ＢＥＲとしてＢＥＲ測定精度を向上している点等が異なる。
【０１０３】
このセクタＢＥＲ測定（２）の測定結果に基づいて、最適な記録オフセット量Woff1を推定する（ステップＳ７）。この推定方法は、ＢＥＲが最小となる間隔の比を求める事で行う。即ち、ＢＥＲが最小となる間隔は、最初の間隔の方が後の間隔よりも長くなっている。ＢＥＲが最小となる間隔はオントラック状態を意味するので、最初の間隔は、図１４（Ａ）に示すように、オントラックから上側にずれた状態の割合を示し、後の間隔は上側にずれた状態の割合を示す。この間隔比から、先の初期理論計算値のオフセット量Woff1の実際との誤差が分かる。具体的には、ＢＥＲ最小間隔Ｓ１，Ｓ２とし、Ｗａｖｅ記録時の振幅（Ｔｐ）をＷWAVEすると、最適記録オフセット量は次式（６）で与えられる。
【０１０４】
【数６】
2008016065.tif 000008
【０１０５】
以上により、ある較正トラックでの、最適再生オフセット量および最適記録オフセット量を、１回のテスト記録を複数再生するだけで、求める事ができる。後は、複数の較正指定トラックで、各トラックでの最適オフセット量を求めればよい。この複数トラックでの最適結果は、ドライブ１０のメモリ２０に含まれるフラッシュＲＯＭに製造コマンドで転送記録される。この後において、前述したように、フラッシュＲＯＭから最適オフセット量を参照し、任意トラックでの最適オフセット量を保管近似にて算出し、常に最適オフセット量が設定される。
【０１０６】
以上のように本実施形態によれば、ＤＴＭ構造のディスク媒体１１を使用するディスクドライブにおいて、特にデータ記録時に、スキュ角に依存する第１のオフセット量Woff1（ＤＣオフセット量）と、サーボセクタ毎に設定されるオフセット補正量Woff2（ＤＯＣオフセット量）とを加算した目標オフセット量ＷＯＦＦに基づいて、ヘッド位置決め制御を実行する。従って、データ記録時に、ディスク媒体１１上に事前に形成されたデータトラックにライトヘッド１２Ｗをオントラックさせて、データを正確に記録することが可能となる。これにより、データ再生時には、リードヘッド１２Ｒにより、データトラックから記録データを正確に再生できる。これにより、結果として記録再生性能が優れたＤＴＭ構造のディスク媒体１１を使用するディスクドライブを提供することができる。
【０１０７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１０８】
【図１】本発明の実施形態に関するディスクドライブの構成を示すブロック図。
【図２】本実施形態に関するヘッド位置決め制御システムの要部を示すブロック図。
【図３】本実施形態に関するデータ記録時の目標値生成部の要部を示すブロック図。
【図４】本実施形態に関する最適オフセット較正での制御処理部の機能を説明するためのブロック図。
【図５】本実施形態に関する最適オフセット較正の手順を説明するためのフローチャート。
【図６】本実施形態に関するデータ記録時の目標値生成の原理を説明するための図。
【図７】本実施形態に関するデータ記録時の目標値生成の原理を説明するための図。
【図８】本実施形態に関するデータ記録時のオフセット補正量と１次ＲＲＯとの関係を説明するための図。
【図９】本実施形態に関するデータ記録時のオフセット補正量と１次ＲＲＯとの関係を説明するための図。
【図１０】本実施形態に関するデータ記録時のオフセット補正量の算出方法を説明するための図。
【図１１】本実施形態に関するデータ記録時のオフセット補正量の算出方法を説明するための図。
【図１２】本実施形態に関するアクセス半径とオフセット補正量との関係を説明するための図。
【図１３】本実施形態に関するアクセス半径とオフセット補正量との関係を説明するための図。
【図１４】本実施形態に関する最適オフセット較正での判定方法を説明するための図。
【符号の説明】
【０１０９】
１０…ディスクドライブ、１１…ＤＴＭ構造のディスク媒体、１２…ヘッド、
１２Ｒ…リードヘッド、１２Ｗ…ライトヘッド、１３…スピンドルモータ（ＳＰＭ）、
１４…アクチュエータ、１５…ボイスコイルモータ（ＶＣＭ）、
１６…プリアンプ回路、１７…信号処理回路（リード／ライトチャネル）、
１８…ディスクコントローラ（ＨＤＣ）、１９…マイクロプロセッサ（ＣＰＵ）、
２０…メモリ、２１…ＶＣＭドライバ、２２…ホストシステム、３０…制御処理部、
３１…目標位置生成部、３２…フィードバック制御部、
３３…フィードフォワード制御部、３４…オフトラック検出部、
３５…駆動指令生成部、３６…目標位置偏差検出部、
３７…再生用目標オフセット量生成部（ＲＯＦＦ目標値生成部）、
３８…記録用目標オフセット量生成部（ＷＯＦＦ目標値生成部）、３９…スイッチ、
４０…ヘッド駆動系、４１…位置検出系、３８１…ＷＯＦＦ目標値生成部、
３８２…スキュ角変動推定部、３８３…オフセット補正値生成部、３８４…加算部。
【図１】
2008016065.tif 000009
【図２】
2008016065.tif 000010
【図３】
2008016065.tif 000011
【図４】
2008016065.tif 000012
【図５】
2008016065.tif 000013
【図６】
2008016065.tif 000014
【図７】
2008016065.tif 000015
【図８】
2008016065.tif 000016
【図９】
2008016065.tif 000017
【図１０】
2008016065.tif 000018
【図１１】
2008016065.tif 000019
【図１２】
2008016065.tif 000020
【図１３】
2008016065.tif 000021
【図１４】
2008016065.tif 000022